(57)【要約】【課題】連続記録媒体のトナー汚れを低減させる。【解決手段】画像形成装置１０は、転写ベルト４４に形成された画像に対応したトナー像を連続紙Ｐに転写する二次転写装置４６と、二次転写装置４６に電圧を印加する二次転写電源２５Ａと、二次転写装置４６により画像に対応したトナー像の転写を行わない非画像転写期間に、電圧の極性が交互に変化するクリーニング電圧が二次転写装置４６に印加されるように二次転写電源２５Ａを制御する制御装置１８と、を備える。【選択図】図４
2015055671.tif 000002
【特許請求の範囲】
【請求項１】
転写ベルトに形成された画像に対応したトナー像を連続記録媒体に転写する転写手段と、
前記転写手段に電圧を印加する印加手段と、
前記転写手段により前記画像に対応したトナー像の転写を行わない非画像転写期間に、電圧の極性が交互に変化するクリーニング電圧が前記転写手段に印加されるように前記印加手段を制御する制御手段と、
を備えた画像形成装置。
【請求項２】
前記連続記録媒体に転写された濃度調整用トナー像の濃度検出手段と、
前記濃度検出手段によって検出された前記濃度調整用トナー像の濃度に基づいて前記画像に対応したトナー像の濃度を調整する濃度調整手段と、を更に備え、
前記制御手段は、前記転写ベルトに形成された濃度調整用トナー像が前記転写手段を通過する際、前記転写手段に印加されるクリーニング電圧の極性が、前記連続記録媒体に前記濃度調整用トナー像を転写する方向の電界を発生させる極性となるように前記印加手段を制御すると共に、前記連続記録媒体に転写された前記濃度調整用トナー像の濃度を検出して、前記画像に対応したトナー像の濃度を調整するように前記濃度検出手段及び前記濃度調整手段を制御する
請求項１記載の画像形成装置。
【請求項３】
前記転写手段に予め定めた電圧が印加されることにより前記転写手段を流れる検知電流を検知する検知手段を更に備え、
前記制御手段は、前記予め定めた電圧及び前記検知電流に基づいて、前記非画像転写期間における前記転写手段に印加されるクリーニング電圧を設定する
請求項１又は請求項２記載の画像形成装置。
【請求項４】
前記連続記録媒体の属性に関する情報を表す属性情報、前記連続記録媒体の残量に関する情報である残量情報、及び環境情報のうち、少なくとも１つの情報を受け付ける受付手段を更に備え、
前記制御手段は、前記情報に基づいて、前記非画像転写期間における前記転写手段に印加されるクリーニング電圧を設定する
請求項１〜請求項３の何れか１項に記載の画像形成装置。
【請求項５】
コンピュータを、請求項１〜請求項４の何れか１項に記載の制御手段として機能させるための画像形成プログラム。
【発明の詳細な説明】
【技術分野】
【０００１】
本発明は、画像形成装置及び画像形成プログラムに関する。
【背景技術】
【０００２】
特許文献１には、電子写真方式による作像装置を複数有し、連続印刷用紙に画像を形成する印刷装置であって、複数の作像装置により順次用紙上にトナー画像を形成し、そのトナー画像を定着するための定着手段を有し、定着が完了した印刷結果を切断又は折りたたみ切断する後処理機を有する印刷システムにおいて、印刷データの有無を表示するマークを印刷しかつそのマークを検出する手段を有し、印刷データの無い頁の仕分けを可能とすることを特徴とする連続紙印刷システムが開示されている。
【０００３】
特許文献２には、表面にトナー画像を保持すると共に、回転可能な像保持体と、像保持体の表面に、帯電したトナーによってトナー画像を形成する画像形成部と、像保持体の表面に回転可能に圧接されると共に、像保持体の表面に保持されたトナー画像を転写材に転写させる転写ローラと、転写ローラの表面の汚れをクリーニングする際に、転写ローラの周速度が像保持体の周速度よりも相対的に速くした後に遅くなるように、又は、相対的に遅くした後に速くなるように、転写ローラおよび像保持体の少なくとも一方の周速度を制御する周速制御部とを備えたことを特徴とする画像形成装置が開示されている。
【先行技術文献】
【特許文献】
【０００４】
【特許文献１】特開２００４−５３８５７号公報
【特許文献２】特開２０１０−２５８８号公報
【発明の概要】
【発明が解決しようとする課題】
【０００５】
本発明は、連続記録媒体に画像に対応したトナー像の転写が行われていない期間に、転写手段に交互に極性が変化する電圧を印加しない場合と比較して、連続記録媒体のトナー汚れを低減させることができる画像形成装置及び画像形成プログラムを提供することを目的とする。
【課題を解決するための手段】
【０００６】
上記目的を達成するために、請求項１記載の画像形成装置の発明は、転写ベルトに形成された画像に対応したトナー像を連続記録媒体に転写する転写手段と、前記転写手段に電圧を印加する印加手段と、前記転写手段により前記画像に対応したトナー像の転写を行わない非画像転写期間に、電圧の極性が交互に変化するクリーニング電圧が前記転写手段に印加されるように前記印加手段を制御する制御手段と、を備える。
【０００７】
請求項２記載の発明は、前記連続記録媒体に転写された濃度調整用トナー像の濃度検出手段と、前記濃度検出手段によって検出された前記濃度調整用トナー像の濃度に基づいて前記画像に対応したトナー像の濃度を調整する濃度調整手段と、を更に備え、前記制御手段は、前記転写ベルトに形成された濃度調整用トナー像が前記転写手段を通過する際、前記転写手段に印加されるクリーニング電圧の極性が、前記連続記録媒体に前記濃度調整用トナー像を転写する方向の電界を発生させる極性となるように前記印加手段を制御すると共に、前記連続記録媒体に転写された前記濃度調整用トナー像の濃度を検出して、前記画像に対応したトナー像の濃度を調整するように前記濃度検出手段及び前記濃度調整手段を制御する。
【０００８】
請求項３記載の発明は、前記転写手段に予め定めた電圧が印加されることにより前記転写手段を流れる検知電流を検知する検知手段を更に備え、前記制御手段は、前記予め定めた電圧及び前記検知電流に基づいて、前記非画像転写期間における前記転写手段に印加されるクリーニング電圧を設定する。
【０００９】
請求項４記載の発明は、前記連続記録媒体の属性に関する情報を表す属性情報、前記連続記録媒体の残量に関する情報である残量情報、及び環境情報のうち、少なくとも１つの情報を受け付ける受付手段を更に備え、前記制御手段は、前記情報に基づいて、前記非画像転写期間における前記転写手段に印加されるクリーニング電圧を設定する。
【００１０】
請求項５記載の画像形成プログラムの発明は、コンピュータを、請求項１〜請求項４の何れか１項に記載の制御手段として機能させる。
【発明の効果】
【００１１】
請求項１、５の発明によれば、連続記録媒体に画像に対応したトナー像の転写が行われていない期間に、転写手段に交互に極性が変化する電圧を印加しない場合と比較して、連続記録媒体のトナー汚れを低減させることができる、という効果を有する。
【００１２】
請求項２の発明によれば、トナー像の濃度調整と転写手段のクリーニングを異なるタイミングで実施する場合と比較して、画像の転写に用いることができない無駄な連続記録媒体の長さを短くすることができる、という効果を有する。
【００１３】
請求項３の発明によれば、転写手段に印加する電圧を固定した場合と比較して、連続記録媒体のトナー汚れをより低減させることができる、という効果を有する。
【００１４】
請求項４の発明によれば、電圧の設定に影響を与える情報を考慮せずに転写手段に印加する電圧を設定する場合と比較して、転写手段に印加すべき電圧の精度を向上させることができる、という効果を有する。
【図面の簡単な説明】
【００１５】
【図１】画像形成装置の要部構成を示す概略側面図である。
【図２】連続紙の断面図である。
【図３】作像装置の要部構成を示す概略側面図である。
【図４】二次転写装置の要部構成の説明に供する模式図である。
【図５】画像形成装置の電気系の要部構成を示すブロック図である。
【図６】第１実施形態における画像形成プログラムのフローチャートである。
【図７】第１実施形態における画像形成プログラムを実行した際の、二次転写ロールの汚染量を示したグラフである。
【図８】第２実施形態における画像形成プログラムのフローチャートである。
【図９】第３実施形態における画像形成プログラムのフローチャートである。
【図１０】第３実施形態における濃度調整処理の説明に供する図である。
【発明を実施するための形態】
【００１６】
以下、本実施の形態について図面を参照しつつ説明する。なお、作用、機能が同じ働きを担う構成要素及び処理には、全図面を通して同じ符合を付与し、重複する説明を適宜省略する場合がある。
【００１７】
＜第１実施形態＞
【００１８】
図１は、本実施の形態に係る画像形成装置１０の要部構成を示す概略側面図である。
【００１９】
本実施の形態に係る画像形成装置１０は、図１に示すように、記録媒体を給紙する給紙装置１２、給紙装置１２から給紙された記録媒体に画像を形成する画像形成部１４、画像形成部１４によって画像が形成された記録媒体を収容する収容装置１６、受付装置１９、、及び給紙装置１２、画像形成部１４、収容装置１６、受付装置１９の各々を制御する制御装置１８を備えている。
【００２０】
給紙装置１２は、連続記録媒体、すなわち連続した長尺の記録媒体を画像形成部１４に供給する。連続記録媒体としては例えば紙、フィルム状シート等、トナー像が定着するものであればよく、本実施形態では、一例として、連続紙Ｐを用いるものとする。
【００２１】
収容装置１６は画像形成部１４によって画像形成された連続紙Ｐを収容する。
【００２２】
連続紙Ｐとしては、例えば、ＰＰ（ポリプロピレン）等の合成樹脂やグラシン紙や上質紙等の紙からなり、図２に示すように、一般的には台紙としての役割をもち使用時に廃棄される剥離紙５１上に、中間層として糊等の粘着材料からなる粘着層５２を介して最上層に設けられる表面基材５３が粘着された所謂ラベル紙が用いられる。この表面基材５３に図柄や文字が印刷されて使用される。このラベル紙５は、その用途にもよるが、例えば、表面基材５３側が画像形成面である表面（外周面）に位置するようにロール状に巻かれたロール紙として配置されている。
【００２３】
給紙装置１２には、連続紙Ｐを例えば円筒形状に巻き取った給紙ロール２０を充填する場所が設けられており、図示しない駆動手段によって給紙ロール２０が回転駆動されて、連続紙Ｐが画像形成部１４へ供給される。
【００２４】
そして、給紙ロール２０の周辺には、給紙ロール２０のロール径を計測することで給紙ロール２０に巻き取られている連続紙Ｐの残量を計測するロール径センサ４７が設けられている。なお、ロール径センサ４７は接触型、非接触型を問わず、何れの方式を用いたセンサであってもよい。
【００２５】
なお、本実施の形態における給紙装置１２にはロール径センサ４７が設けられているが、ロール径センサ４７は必ずしも必須ではない。例えば、ロール径センサ４７を設置する替わりに、給紙装置１２に給紙ロール２０を充填する際、ユーザが後述する受付装置１９から給紙ロール２０のロール径情報を入力するようにしてもよい。
【００２６】
また、収容装置１６には、図示しない駆動手段により回転駆動させることで、画像形成部１４によって表面基材５３に画像が形成された連続紙Ｐをロール状に巻き取る収容ロール２２が設けられている。
【００２７】
画像形成部１４は、画像情報に基づいて、イエロー（Ｙ）色、マゼンタ（Ｍ）色、シアン（Ｃ）色、及びブラック（Ｋ）色の４色のトナーを用いた画像を連続紙Ｐに形成する。画像形成部１４には、現像剤を構成するトナーで現像されたトナー像を転写ベルト４４上に形成する作像装置２４と、転写ベルト４４上に形成されたトナー像を連続紙Ｐに転写する中間転写装置２６と、連続紙Ｐ上に転写されたトナー像を定着させる定着装置２８等を備えている。
【００２８】
作像装置２４は、Ｙ、Ｍ、Ｃ、Ｋの各色のトナー像をそれぞれ専用に形成する４つの作像装置２４Ｙ、２４Ｍ、２４Ｃ、２４Ｋで構成されている。
【００２９】
各作像装置２４は、図３に示すように、回転する像保持体の一例としての感光体ドラム３０を各々備えている。各感光体ドラム３０の周囲には、後述する帯電装置３２、露光装置３４、現像装置３６、一次転写装置３８、及び清掃装置４０等が設けられている。
【００３０】
感光体ドラム３０は、接地処理された円筒状または円柱状の基材を含んで構成され、基材の周面に感光材料を含んだ光導電性層（感光層）を有する像保持面が形成されている。また、感光体ドラム３０は、図示しない駆動装置によって動力が伝達されて回転するように支持されている。
【００３１】
帯電装置３２は、感光体ドラム３０に接触した状態で配置される接触型の帯電ロール３２Ａを含んで構成され、感光体ドラム３０の周面を帯電させる。帯電装置３２には帯電用電圧が供給される。帯電用電圧としては、現像装置３６が反転現像を行うものである場合、その現像装置３６から供給されるトナーの帯電極性と同じ極性の電圧または電流が供給される。
【００３２】
露光装置３４は、帯電された感光体ドラム３０の周面に画像情報に基づく光を照射して感光体ドラム３０の周面に静電潜像を形成する。
【００３３】
現像装置３６は、露光装置３４によって感光体ドラム３０の周面に形成された静電潜像を各々対応する色の現像剤のトナーで現像してトナー像を生成する。現像装置３６は、図示は省略するが、現像剤を感光体ドラム３０と向き合う現像領域まで搬送する現像ロールと、現像剤を攪拌しながら現像ロールに供給するように搬送するスクリューオーガー等の攪拌搬送部材と、現像ロールに保持される現像剤の量を規制する層厚規制部材などを配置して構成されている。この現像装置３６には、現像ロールと感光体ドラム３０の間に現像用電圧が印加されるようになっている。また、現像ロールや攪拌搬送部材は、図示しない回転駆動装置からの動力が伝達されて予め定めた方向に回転する。なお、現像剤としては、例えば、非磁性トナーと磁性キャリアとを含む二成分現像剤が使用される。また、現像装置３６に供給されるトナーは、図１に示すように、各色のトナーを含む現像剤を収容したトナーカートリッジ４２から供給される。
【００３４】
一次転写装置３８は、例えば、感光体ドラム３０の周面に接触して回転すると共に、一次転写用電圧が供給される一次転写ロール３８Ａを備えた接触型の転写装置とされる。一次転写ロール３８Ａに一次転写用電圧が供給されることにより、感光体ドラム３０に形成された各色のトナー像が中間転写装置２６に転写される。一次転写用電圧としては、トナーの帯電極性と逆の極性の直流電流が供給される。
【００３５】
また、清掃装置４０は、一次転写後における感光体ドラム３０の像保持面に残留して付着するトナー等の付着物を取り除く。本実施の形態では、清掃装置４０には、感光体ドラム３０に接触するブレード４１が設けられており、このブレード４１によって感光体ドラム３０の周面に付着した付着物が取り除かれるようになっている。
【００３６】
中間転写装置２６は、図１に示すように、各作像装置（２４Ｙ、２４Ｍ、２４Ｃ、２４Ｋ）２４の下方位置に配置されている。本実施形態に係る中間転写装置２６は、感光体ドラム３０と一次転写装置３８とにより形成された間隙であって、感光体ドラム３０に形成されたトナー像を転写ベルト４４に転写する位置である一次転写位置を通過しながら図矢印Ａ方向に回転する転写ベルト４４と、転写ベルト４４を回転自在に支持する支持ローラ２６Ａ、２６Ｂと、転写ベルト４４に転写されたトナー像を更に連続紙Ｐに転写する二次転写装置４６と、を含んでいる。
【００３７】
更に、中間転写装置２６は、図示は省略するが転写ベルト４４が二次転写装置４６を通過した後、転写ベルト４４の外周面に残留して付着するトナーや、紙粉等の付着物を取り除いて清掃するベルト清掃装置を備えている。
【００３８】
転写ベルト４４としては、例えばポリイミド樹脂、ポリアミド樹脂等の合成樹脂にカーボンブラック等の抵抗調整剤などを分散させた材料で製作される無端状のベルトが使用される。
【００３９】
図４は二次転写装置４６の構成を示した図であり、二次転写装置４６は、支持ローラ２６Ａ、２６Ｂと共に転写ベルト４４を回転自在に支持するバックアップロール２６Ｃと、転写ベルト４４及び連続紙Ｐを挟んでバックアップロール２６Ｃと対向する位置に設けられた二次転写ロール４６Ａと、バックアップロール２６Ｃ及び二次転写ロール４６Ａ（以下、ロール対という）に可変直流電圧を印加する二次転写電源２５Ａと、二次転写電源２５Ａからロール対に電圧を印加した際にロール対を流れる電流を検知する電流計２５Ｂを含んで構成される。
【００４０】
二次転写電源２５Ａがロール対に印加する電圧は、後述する制御装置１８により、極性、電圧値及び印加時間が調整される。そして、二次転写電源２５Ａの一端は基準電位であるグランド電位（ここでは、０Ｖ）に接続される。一方、二次転写電源２５Ａの他端は電流計２５Ｂと直列に接続された上で、バックアップロール２６Ｃの中心部分に位置する金属シャフトに接続される。また、二次転写ロール４６Ａの中心部分に位置する金属シャフトはグランド電位に接続される。
【００４１】
なお、二次転写装置４６は、二次転写電源２５Ａから印加される直流電圧に交流成分を重畳する交流電源を含むようにして、ロール対に印加される電圧を交流重畳電圧としてもよい。
【００４２】
定着装置２８は、表面温度が予め定められた温度に保持されるよう加熱手段によって加熱されるロール形態又はベルト形態の加熱用回転体２８Ａと、この加熱用回転体２８Ａに予め定めた圧力で接触して回転するロール形態又はベルト形態の加圧用回転体２８Ｂなどを配置して構成されている。定着装置２８では、二次転写装置４６によって連続紙Ｐに転写されたトナー像が加熱及び加圧されることにより、定着処理が行われる。
【００４３】
また、定着装置２８の連続紙Ｐの搬送方向下流側には、連続紙Ｐに転写されたトナー像の濃度を検出するための濃度センサ２７が設けられており、濃度センサ２７の濃度検出結果に基づいて、トナーの供給量が制御されるようになっている。
【００４４】
更に、画像形成部１４は、例えば、画像形成動作環境における温度を計測する温度計１１及び画像形成動作環境における湿度を計測する湿度計１３を含んでいる。なお、本実施形態に係る画像形成部１４は温度計１１及び湿度計１３を備えるものとしたが、温度計１１及び湿度計１３は必ずしも画像形成部１４に必須ではなく、また、温度計１１及び湿度計１３の少なくとも何れか一方を含むようにしてもよい。
【００４５】
更に、温度計１１及び湿度計１３は画像形成部１４の内部環境の計測に限らず、例えば、画像形成装置１０が設置されている場所の環境、すなわち、画像形成装置１０の外部環境を計測するようにしてもよい。
【００４６】
受付装置１９は、例えば、ソフトウェアプログラムによって操作指示の受け付けを実現する表示ボタンや各種情報が表示されるタッチパネル式の図示しないディスプレイ、及び、テンキーやスタートボタンなどの図示しないハードウェアキー等を含んで構成されている。そして、ユーザは受付装置１９を介して、画像形成装置１０に対して画像形成に関する指示や、画像形成に関する各種情報の入力及び取得を行う。
【００４７】
続いて、画像形成装置１０による画像形成動作について説明する。
【００４８】
画像形成装置１０は、ユーザによって指定された画像情報の画像形成開始要求を受け付けると、作像装置２４Ｙ、２４Ｍ、２４Ｃ、２４Ｋ、中間転写装置２６、二次転写装置４６、及び定着装置２８等を始動する。
【００４９】
そして、各色の作像装置２４においては、まず感光体ドラム３０が回転して、帯電装置３２によって感光体ドラム３０の表面が予め定めた極性及び電位にそれぞれ帯電される。なお、本実施形態に係る感光体ドラム３０の表面は、例えば負極に帯電されるものとする。
【００５０】
続いて、露光装置３４によって帯電後の感光体ドラム３０の表面に対して、画像情報に基づいた光を照射することで、光が照射された部分の電荷が消滅して、各色の感光体ドラム３０上にはそれぞれＹＭＣＫ各色の画像情報に対応した静電潜像が形成される。
【００５１】
続いて、各色の現像装置３６によって、感光体ドラム３０に形成された静電潜像に、予め定めた極性、例えば負極に帯電したトナーがそれぞれ供給されると、静電潜像にトナーが静電的に付着して静電潜像が現像される。これにより、感光体ドラム３０に形成された各色成分の静電潜像が、その対応する色のトナーでそれぞれ現像された４色（Ｙ、Ｍ、Ｃ、Ｋ）のトナー像として顕像化される。
【００５２】
続いて、感光体ドラム３０上に形成された各色のトナー像が一次転写位置まで搬送されると、一次転写装置３８によって、各色のトナー像が順番に重ね合わされながら転写ベルト４４に転写される。
【００５３】
また、一次転写が終了した各作像装置２４では、清掃装置４０によって感光体ドラム３０の表面に残留するトナー等の付着物が除去される。
【００５４】
続いて、中間転写装置２６は、転写ベルト４４を回転させて一次転写されたトナー像を二次転写装置４６に搬送する。そして、転写ベルト４４に形成されたトナー像が、バックアップロール２６Ｃと二次転写ロール４６Ａとにより形成された間隙位置（二次転写位置）まで搬送されたタイミングで、トナー像を連続紙Ｐの表面基材５３に転写する方向の電界を発生させるバイアス電圧（正規バイアス電圧）を二次転写電源２５Ａからロール対に対して印加する。
【００５５】
この際、転写ベルト４４に形成されたトナー像が、転写ベルト４４と共にロール対に挟まれて搬送される連続紙Ｐに二次転写される。
【００５６】
二次転写が終了した中間転写装置２６では、図示しないベルト清掃装置によって、二次転写後の転写ベルト４４の表面に残留したトナー等の付着物が除去される。
【００５７】
続いて、トナー像が二次転写された連続紙Ｐは、定着装置２８まで搬送されて、定着装置２８によって定着処理が行われることにより連続紙Ｐにトナー像が定着される。そして、定着処理が終了した後の連続紙Ｐは、画像形成部１４から排出されて、収容装置１６の収容ロール２２に巻き取られる。
【００５８】
以上の画像形成動作により、ユーザによって指定された画像情報に対応したトナー像が形成された連続紙Ｐが出力される。
【００５９】
こうした画像形成動作を実施する本実施形態に係る画像形成装置１０の制御装置１８は、図５に示すように、例えばコンピュータ１８として構成される。コンピュータ１８は、ＣＰＵ（Central Processing Unit）１８Ａ、ＲＯＭ（Read Only Memory）１８Ｂ、ＲＡＭ（Random Access Memory）１８Ｃ、不揮発性メモリ１８Ｄ、及び入出力インターフェース（Ｉ／Ｏ）１８Ｅがバス１８Ｆを介して各々接続された構成であり、Ｉ／Ｏ１８Ｅには温度計１１、給紙装置１２、湿度計１３、画像形成部１４、収容装置１６、受付装置１９、濃度センサ２７及び通信回線Ｉ／Ｆ２９が接続され、それぞれコンピュータ１８と相互にデータ通信を行う。
【００６０】
通信回線Ｉ／Ｆ２９は図示しない通信回線に接続され、当該通信回線に接続されている図示しないパーソナルコンピュータ等の端末装置と、相互にデータ通信を行うためのインターフェースである。この図示しない通信回線は有線回線及び無線回線の何れであってもよい。
【００６１】
また、本実施形態に係る画像形成装置１０では、例えば受付装置１９から連続紙Ｐに形成する画像情報の指定等を受け付けるようにしたが、通信回線Ｉ／Ｆ２９を介して、図示しない通信回線に接続された図示しない端末装置から画像情報の指定等を受け付けるようにしてもよい。
【００６２】
給紙装置１２には更にロール径センサ４７が接続され、コンピュータ１８と相互にデータ通信を行う。
【００６３】
また、画像形成部１４は、感光体ドラム３０や帯電装置３２等を含む作像装置２４、二次転写装置４６及び定着装置２８に接続されると共に、二次転写装置４６は、更に二次転写電源２５Ａ及び電流計２５Ｂに接続され、それぞれコンピュータ１８と相互にデータ通信を行う。
【００６４】
このように、二次転写装置４６を用いて連続紙Ｐにトナー像を転写する方式の画像形成装置１０では、例えばＡ３やＡ４といった予め定めた規格サイズにカットされた用紙（カット紙）にトナー像を転写する場合と比較して、紙間が存在しない等の理由から、単位時間あたりの二次転写装置４６に正規バイアス電圧を印加する時間の割合が大きくなる傾向が見られる。従って、カット紙にトナー像を転写する場合と比較して、二次転写の際に二次転写ロール４６Ａに付着するトナー量も増加する傾向が見られる。
【００６５】
この際、記録媒体として連続紙Ｐを使用しているため、二次転写ロール４６Ａに付着するトナーは、二次転写ロール４６Ａの連続紙Ｐの搬送方向と直交する方向、すなわち二次転写ロール４６Ａの幅方向において、連続紙Ｐが搬送されている領域（記録媒体搬送領域）以外の領域、例えば連続紙Ｐに覆われていない二次転写ロール４６Ａの両端部により集中して付着することが考えられる。従って、例えば、給紙装置１２に収容されている連続紙Ｐを現在の連続紙Ｐより幅の広い連続紙Ｐ１に交換した場合、二次転写の際に連続紙Ｐ１の裏面側である剥離紙５１に二次転写ロール４６Ａに付着したトナーが付着し、連続紙Ｐ１が汚れてしまう場合が考えられる。
【００６６】
この場合、トナーによる二次転写ロール４６Ａの汚染対策として、感光体ドラム３０のように、二次転写ロール４６Ａ表面に接触して二次転写ロール４６Ａに付着したトナーを除去するブレードを設けるという方法が考えられる。
【００６７】
しかし、記録媒体として連続紙Ｐを使用しているため、二次転写ロール４６Ａの記録媒体搬送領域に付着するトナー量は、例えば二次転写ロール４６Ａの両端部といった、二次転写ロール４６Ａの記録媒体搬送領域以外の領域に付着するトナー量と比較して少なくなる。トナーは潤滑剤としての機能も有することから、ブレードが二次転写ロール４６Ａの周面を接触しながらトナーを除去する際、二次転写ロール４６Ａの記録媒体搬送領域に対応したブレード部分がめくれてしまい、二次転写ロール４６Ａに対する十分なクリーニング効果が発揮されない場合が考えられる。
【００６８】
そこで以下では、図６を参照して、連続紙Ｐに画像を形成する前に、トナーによる二次転写ロール４６Ａの汚れを低減させる画像形成プログラムを実行することにより、画像形成時に二次転写ロール４６Ａに付着したトナーが連続紙Ｐに付着することによって生じる連続紙Ｐのトナー汚れを低減させる画像形成装置１０の作用に関して詳細に説明する。
【００６９】
図６は、例えば受付装置１９を介してユーザによって指定された画像情報に対応したトナー像を連続紙Ｐに転写していない期間（非画像転写期間）に、制御装置１８のＣＰＵ１８Ａにより実行される二次転写ロール４６Ａのクリーニング処理に対する画像形成プログラムの流れを示すフローチャートであり、当該プログラムは例えばＲＯＭ１８Ｂの予め定められた領域に予め記憶されており、例えばユーザからプログラムの実行指示を受け付ける毎にＣＰＵ１８Ａにより実行される。
【００７０】
なお、画像形成プログラムは、ＲＯＭ１８Ｂに予めインストールされて提供される形態に限られず、ＣＤ−ＲＯＭやメモリカード等のコンピュータ読み取り可能な記録媒体に格納された状態で提供される形態、通信回線Ｉ／Ｆ２９を介して有線又は無線により配信される形態等であってもよい。
【００７１】
まず、ステップＳ１０では、給紙装置１２、画像形成部１４、及び収容装置１６内の図示しない駆動手段を制御して、給紙装置１２に充填されている連続紙Ｐの一端を、収容装置１６の収容ロール２２によって巻き取られる位置まで搬送し、画像形成に係る準備を実施する。この処理により、連続紙Ｐが二次転写位置に供給され、連続紙Ｐがバックアップロール２６Ｃ及び二次転写ロール４６Ａに挟まれた状態となる。
【００７２】
ステップＳ２０では、例えば、不揮発性メモリ１８Ｄから、不揮発性メモリ１８Ｄの予め定めた領域に予め記憶されているロール対に印加するバイアス電圧の極性、電圧値、及びバイアス電圧印加時間に関する情報であるバイアス電圧情報を読み出し、二次転写電源２５Ａに設定する。このバイアス電圧情報は、例えば、画像形成装置１０の実機による実験やコンピュータシミュレーション等により予め定められた情報である。
【００７３】
なお、本実施形態に係るバイアス電圧情報には、例えばトナー像を連続紙Ｐの表面基材５３から剥離する方向の電界を発生させる極性のバイアス電圧（逆バイアス電圧）の情報が設定されているものとするが、これに限らず、バイアス電圧情報に正規バイアス電圧の情報を設定してもよい。
【００７４】
更に、ステップＳ２０では、ＲＡＭ１８Ｃの予め定めた領域に記憶されるバイアス電圧印加回数を０に初期化する。
【００７５】
ステップＳ３０では、二次転写電源２５Ａに対して、設定されたバイアス電圧情報に基づいて、ロール対に対してバイアス電圧を印加するよう制御すると共に、ＲＡＭ１８Ｃの予め定めた領域に記憶されたバイアス電圧印加回数を１増加させる。この処理によって、ロール対に逆バイアス電圧が印加されて、二次転写ロール４６Ａに付着するトナーが二次転写ロール４６Ａから剥離する。
【００７６】
ステップＳ４０では、例えば、不揮発性メモリ１８Ｄから、不揮発性メモリ１８Ｄの予め定めた領域に予め記憶されている規定バイアス電圧印加回数を読み出し、ＲＡＭ１８Ｃに記憶されているバイアス電圧印加回数が規定バイアス電圧印加回数以上であるか否かを判定する。判定結果が肯定判定の場合には本画像形成プログラムを終了する。一方、否定判定の場合には、ステップＳ５０に移行する。
【００７７】
なお、規定バイアス電圧印加回数は、例えば、画像形成装置１０の実機による実験やコンピュータシミュレーション等により予め定められた回数であって、二次転写ロール４６Ａに付着するトナーを除去するのに必要なバイアス印加回数が設定される。
【００７８】
ステップＳ５０では、バイアス電圧の極性が、ステップＳ３０でロール対に印加したバイアス電圧と異なる極性となるように、二次転写電源２５Ａに設定する。
【００７９】
通常、トナーは負極に帯電しているが、例えば、二次転写の際に繰り返しバイアス電圧が印加されること等により、正極に帯電するトナーの割合が徐々に高くなる。そのため、二次転写ロール４６Ａに付着したトナーには負極に帯電したトナーだけでなく、正極に帯電したトナーも含まれる。
【００８０】
すなわち、ステップＳ３０で正規バイアス電圧及び逆バイアス電圧の何れか一方のバイアス電圧をロール対に印加しただけでは、二次転写ロール４６Ａに付着したトナーを除去しきれない状況が考えられる。そこで、ステップＳ５０で、バイアス電圧の極性が、ステップＳ３０でロール対に印加したバイアス電圧と異なる極性となるように二次転写電源２５Ａの極性を設定する。なお、二次転写電源２５Ａに対して設定するバイアス電圧の電圧値及びバイアス電圧印加時間については、ステップＳ３０でロール対に印加したバイアス電圧と異なるようにしてもよいし、引き続き同じ値を用いるようにしてもよい。
【００８１】
そして、ステップＳ３０で、ステップＳ５０によって設定された極性のバイアス電圧がロール対に印加される。
【００８２】
このように、ステップＳ３０〜ステップＳ５０の処理が規定バイアス電圧印加回数に達するまで繰り返し実施されることにより、極性の異なるバイアス電圧が交互にロール対に印加され、二次転写ロール４６Ａに付着する正負両極に帯電したトナーが、二次転写ロール４６Ａから剥離される。こうした非画像転写期間中にロール対に印加されるバイアス電圧で、且つ、極性が交互に変化するバイアス電圧を特にクリーニング電圧という。
【００８３】
図７は、図６に示した画像形成プログラムを実行した際の二次転写ロール４６Ａの汚染量の変化を示したグラフである。図６の縦軸は二次転写ロール４６Ａの汚染量を表し、横軸は時間経過を表している。
【００８４】
実験結果９０は、二次転写ロール４６Ａに金属シャフトに化学繊維を巻きつけたクリーニングブラシを設けた上で、図６のフローチャートに従って、二次転写ロール４６Ａに正規バイアス電圧及び逆バイアス電圧を交互に印加した際の二次転写ロール４６Ａの汚染量の変化を示している。なお、二次転写ロール４６Ａに印加する正規バイアス電圧及び逆バイアス電圧の電圧値の大きさは同じにした上で、期間Ｔ１、Ｔ３、及びＴ５では逆バイアス電圧を二次転写ロール４６Ａに印加し、期間Ｔ２及びＴ４では正規バイアス電圧を二次転写ロール４６Ａに印加した。
【００８５】
実験結果９０より、二次転写ロール４６Ａに正規バイアス電圧及び逆バイアス電圧を交互に印加するにつれて、二次転写ロール４６Ａの汚染量が低下することがわかる。二次転写ロール４６Ａの汚染量が０．０４以下であれば、二次転写ロール４６Ａによる連続紙Ｐのトナー汚れが目立たない範囲内であるとみなせるため、本実施形態に係る画像形成プログラムの実施により、十分なクリーニング効果が認められる。
【００８６】
実験結果９２も実験結果９０と同様に、図６のフローチャートに従って、二次転写ロール４６Ａに正規バイアス電圧及び逆バイアス電圧を交互に印加した際の二次転写ロール４６Ａの汚染量の変化を示したものであるが、実験結果９２は二次転写ロール４６Ａにクリーニングブラシを設けた上で、正規バイアス電圧及び逆バイアス電圧を１秒毎に交互に印加した結果を示したものである。なお、この際、二次転写ロール４６Ａに印加した正規バイアス電圧及び逆バイアス電圧の電圧値の大きさは２００Ｖｐｐとした。
【００８７】
実験結果９２では、二次転写ロール４６Ａにバイアス電圧を印加して７秒後、すなわちバイアス電圧の極性を７回変化させた後に、二次転写ロール４６Ａの汚染量が０．０１未満となり、実験結果９０と比較して、より短時間に二次転写ロール４６Ａのクリーニング効果が現れている。
【００８８】
以上の結果から、二次転写ロール４６Ａに印加するバイアス電圧の印加時間を長くするよりも、極性を交互に変化させたバイアス電圧の印加回数を増やした方が、二次転写ロール４６Ａのクリーニング効果がより向上することがわかる。
【００８９】
このように本実施形態によれば、非画像転写期間に交互に極性が変化するバイアス電圧を二次転写ロール４６Ａに印加することで、二次転写ロール４６Ａに付着するトナーが剥離され、連続紙Ｐのトナー汚れが低減する。
【００９０】
なお、本実施形態に係る画像処理プログラムは、ユーザによって指定された画像情報の画像形成開始要求を受け付け、画像情報に対応したトナー像を連続紙Ｐに形成する画像転写期間以外の期間、すなわち非画像転写期間であれば何れのタイミングで実行してもよく、例えば、画像転写期間の前後の少なくとも一方のタイミングで実施するようにすればよい。
【００９１】
＜第２実施形態＞
【００９２】
第１実施形態では、予め定めたバイアス電圧情報に基づいてロール対に印加するバイアス電圧の大きさを設定したが、本実施形態では、例えば二次転写装置４６に係る物理特性の変化や、記録媒体として使用する連続紙Ｐの属性に応じて、ロール対に印加するバイアス電圧の大きさを変化させる形態について説明する。なお、本実施形態に係る画像形成装置１０の構成は、第１実施形態のものと同様とする。
【００９３】
図８は、例えば非画像転写期間に制御装置１８のＣＰＵ１８Ａにより実行される、二次転写ロール４６Ａのクリーニング処理に対する画像形成プログラムの流れを示すフローチャートであり、当該プログラムは例えばＲＯＭ１８Ｂの予め定められた領域に予め記憶されており、例えばユーザからプログラムの実行指示を受け付ける毎にＣＰＵ１８Ａにより実行される。
【００９４】
本実施形態に係る画像形成プログラムが第１実施形態と異なる点は、ステップＳ１０とステップＳ２０の間に、ステップＳ１００〜ステップＳ１４０の各処理が追加されている点である。
【００９５】
ステップＳ１００では、例えば、不揮発性メモリ１８Ｄから、不揮発性メモリ１８Ｄの予め定めた領域に予め記憶されている、ロール対間の抵抗値を算出するための電圧である抵抗取得電圧情報を読み出し、二次転写電源２５Ａに設定する。この抵抗取得電圧情報には、例えばロール対に印加する電圧の極性、電圧値、及び電圧印加時間等が記憶されている。
【００９６】
そして、二次転写電源２５Ａから、抵抗取得電圧情報に指定されている電圧印加時間に亘って、抵抗取得電圧情報に指定されている電圧の極性及び電圧値を有する抵抗取得電圧をロール対に印加する。
【００９７】
ステップＳ１１０では、ステップＳ１００で二次転写電源２５Ａからロール対に印加した抵抗取得電圧によってロール対に流れる検知電流を検知するように電流計２５Ｂを制御する。そして、ステップＳ１００で二次転写電源２５Ａに設定した抵抗取得電圧の電圧値と検知電流の電流値とに基づいて、ロール対間の抵抗値を算出すると共に、当該抵抗値を例えばＲＡＭ１８Ｃの予め定めた領域に記憶する。
【００９８】
なお、本処理によって得られるロール対間の抵抗値は、ステップＳ１０の処理で、既に連続紙Ｐがロール対に挟まれた状態となっていることから、連続紙Ｐを含めたロール対間の抵抗値を表している。
【００９９】
ステップＳ１２０では、例えばステップＳ１０の処理のタイミングで、受付装置１９を介してユーザが予め入力した連続紙Ｐの用紙種別情報（普通紙、エンボス紙、コート紙等の情報）、連続紙Ｐの搬送方向と直交する連続紙Ｐの幅方向の長さに関する幅情報、及び転写面情報（転写面が連続紙Ｐの表面なのか裏面なのかを示す情報）等を含む連続紙Ｐの属性情報を取得する。
【０１００】
本実施形態では、属性情報を例えば受付装置１９を介して受け付けるものとしたが、これに限らず、通信回線Ｉ／Ｆ２９を介して、図示しない通信回線に接続された図示しない端末装置から受け付けるようにしてもよい。更に、例えば、連続紙Ｐの幅方向の長さを検知するセンサ等を画像形成装置１０に配置する等、連続紙Ｐの各種属性情報を検知するセンサの出力として受け付けるようにしてもよい。
【０１０１】
なお、連続紙Ｐの属性情報は用紙種別情報、幅情報、及び転写面情報に限定されない。例えば連続紙Ｐの紙厚等、連続紙Ｐに関する特性を表すものは連続紙Ｐの属性情報に含まれる。
【０１０２】
ステップＳ１３０では、ロール径センサ４７によって給紙装置１２に充填されている給紙ロール２０のロール径を取得する。これは画像形成装置１０の動作環境、特に湿度が同じ場合であっても、連続紙Ｐの残量を示す給紙ロール２０のロール径に応じて連続紙Ｐに含まれる湿度が変化するためである。
【０１０３】
ステップＳ１４０では、温度計１１及び湿度計１３によって、画像形成装置１０の動作環境における環境情報である温度及び湿度を取得する。
【０１０４】
そして、ステップＳ２０では、ステップＳ１１０の処理で取得したロール対間の抵抗値、ステップＳ１２０の処理で取得した連続紙Ｐの属性情報、ステップＳ１３０の処理で取得した給紙ロール２０のロール径、及びステップＳ１４０の処理で取得した画像形成装置１０の動作環境における温湿度情報に基づいて、バイアス電圧設定テーブルを参照してロール対に印加するバイアス電圧の電圧値を設定する。
【０１０５】
ここでバイアス電圧設定テーブルとは、例えば、連続紙Ｐの属性情報、給紙ロール２０のロール径、及び温湿度等の環境情報といった、バイアス電圧の電圧値を設定するための情報である電圧設定情報、並びにロール対間の抵抗値に応じて、二次転写ロール４６Ａのクリーニング効果をより向上させるためのバイアス電圧の電圧値が記載されたテーブルであり、例えば不揮発性メモリ１８Ｄの予め定めた領域に予め記憶されている。
【０１０６】
なお、バイアス電圧設定テーブルは、電圧設定情報が同じ条件の下では、ロール対間の抵抗値が大きくなるに従って、ロール対に印加するバイアス電圧の電圧値が大きくなるように設定される。
【０１０７】
そして、バイアス電圧設定テーブルを参照して得られたバイアス電圧の電圧値を、バイアス電圧情報に設定されている電圧値の替わりに二次転写電源２５Ａに設定することで、画像形成装置１０の動作状況に応じたバイアス電圧が設定される。
【０１０８】
このように本実施形態によれば、画像形成装置１０の動作状況に応じてロール対に印加するバイアス電圧の電圧値が設定されるため、バイアス電圧の電圧値を固定した場合と比較して、二次転写ロール４６Ａのクリーニング効果がより向上することが期待される。
【０１０９】
なお、本実施形態では、ロール対間の抵抗値及び電圧設定情報の両方を用いて、ロール対に印加するバイアス電圧の電圧値を設定したが、ロール対間の抵抗値及び電圧設定情報の少なくとも一方を用いて、ロール対に印加するバイアス電圧の電圧値を設定するようにしてもよい。
【０１１０】
また、電圧設定情報として、連続紙Ｐの属性情報、給紙ロール２０のロール径、及び温湿度等の環境情報をそれぞれ取得する必要はなく、これらのうち少なくとも１つの情報を用いて、ロール対に印加するバイアス電圧の電圧値を設定するようにしてもよい。
【０１１１】
更に、本実施形態では、バイアス電圧設定テーブルを参照して、ロール対間の抵抗値及び電圧設定情報の少なくとも一方に基づいたバイアス電圧の電圧値を取得したが、加えてロール対間の抵抗値及び電圧設定情報の少なくとも一方に基づいたバイアス電圧の印加時間を取得するようにしてもよい。この場合、バイアス電圧設定テーブルには、ロール対間の抵抗値及び電圧設定情報の少なくとも一方に応じたバイアス電圧の電圧値及び印加時間を記載しておけばよい。
【０１１２】
＜第３実施形態＞
【０１１３】
画像形成装置１０では、部品の経時劣化等により、画像情報によって指示された濃度と、画像情報に基づき実際に連続紙Ｐに形成されたトナー像の濃度との間で差異等を生じる場合が考えられる。そのため、画像形成装置１０は濃度調整処理を実施する場合がある。
【０１１４】
濃度調整処理の一例としては、非画像転写期間に予め定めた濃度の濃度調整用パッチを連続紙Ｐ上に形成して、濃度センサ２７によって濃度調整用パッチの実際の濃度を取得する。そして、連続紙Ｐに形成された実際の濃度調整用パッチの濃度が予め定めた画像調整用パッチの濃度に近づくように、例えば、トナーカートリッジ４２から現像装置３６へトナーを供給するオーガーを駆動する図示しないモーターの回転時間を制御して、現像装置３６へのトナー供給量等を調整する。
【０１１５】
第１実施形態では、二次転写ロール４６Ａのクリーニング処理を単独で実施するようにしたが、本実施形態では、上記で説明した濃度調整処理と合わせて二次転写ロール４６Ａのクリーニング処理を実施する形態について説明する。なお、本実施形態に係る画像形成装置１０の構成は、第１実施形態のものと同様とする。
【０１１６】
図９は、例えば非画像転写期間に制御装置１８のＣＰＵ１８Ａにより実行される二次転写ロール４６Ａのクリーニング処理に対する画像形成プログラムの流れを示すフローチャートであり、当該プログラムは例えばＲＯＭ１８Ｂの予め定められた領域に予め記憶されており、例えばユーザからプログラムの実行指示を受け付ける毎にＣＰＵ１８Ａにより実行される。
【０１１７】
本実施形態に係る画像形成プログラムが第１実施形態と異なる点は、ステップＳ２００として濃度調整用パッチの形成処理が新たに追加されると共に、ステップＳ２０の処理がステップＳ２１０〜ステップＳ２３０で置き換えられた点と、濃度調整処理の終了を判定するステップＳ３５の処理が新たに追加された点である。
【０１１８】
ステップＳ２００では、画像形成装置１０の濃度調整を実施するため、転写ベルト４４上に濃度調整用パッチを形成する。
【０１１９】
図１０（Ａ）は、転写ベルト４４に形成された濃度調整用パッチ９４の一例を示した図である。濃度調整用パッチ９４は、不揮発性メモリ１８Ｄの予め定めた領域に予め記憶されている予め定めた濃度に基づいて転写ベルト４４に形成されたトナー像であり、本実施形態の場合、例えば、転写ベルト４４の搬送方向と直交する転写ベルト４４の幅方向に、１００％濃度のＹＭＣＫ各色の濃度調整用パッチ９４が並んだ濃度調整用パッチ列が２列形成される。
【０１２０】
なお、濃度調整用パッチ列の列数は２列に限定されるものではなく、１列であっても３列以上であってもよい。また、濃度調整用パッチ９４の濃度も１００％に限定されるものではなく、例えば濃度調整用パッチ列毎に濃度調整用パッチ９４の濃度を変えるようにしてもよい。
【０１２１】
また、ステップＳ２００では、不揮発性メモリ１８Ｄに予め記憶されているバイアス電圧情報を読み出すと共に、バイアス電圧印加回数を０に初期化しておく。
【０１２２】
ステップＳ２１０では、二次転写位置に濃度調整用パッチ列が搬送されたか否かを判定し、肯定判定の場合にはステップＳ２２０に移行し、否定判定の場合にはステップＳ２３０に移行する。
【０１２３】
二次転写位置に濃度調整用パッチ列が搬送されたか否かの判定は、例えば、転写ベルト４４に濃度調整用パッチ列が形成されてからのバックアップロール２６Ｃの回転角等から判定すればよい。
【０１２４】
ステップＳ２２０では、ロール対に印加されるバイアス電圧が正規バイアス電圧となるように、二次転写電源２５Ａにバイアス電圧の極性を設定すると共に、バイアス電圧情報によって指定されたバイアス電圧の電圧値及びバイアス電圧印加時間を二次転写電源２５Ａに設定する。
【０１２５】
なお、濃度調整用パッチ列が二次転写位置を通過する際にロール対に印加するバイアス電圧を正規バイアス電圧とするのは、濃度調整用パッチ列を連続紙Ｐに転写するためである。
【０１２６】
ステップＳ２３０では、バイアス電圧の極性が、直前にロール対に印加したバイアス電圧と異なる極性となるように、二次転写電源２５Ａにバイアス電圧の極性を設定すると共に、バイアス電圧情報によって指定されたバイアス電圧の電圧値及びバイアス電圧印加時間を二次転写電源２５Ａに設定する。
【０１２７】
すなわち、直前にロール対に印加したバイアス電圧が正規バイアス電圧であれば、ロール対に逆バイアス電圧が印加されるように設定され、直前にロール対に印加したバイアス電圧が逆バイアス電圧であれば、ロール対に正規バイアス電圧が印加されるように設定される。
【０１２８】
なお、転写ベルト４４に濃度調整用パッチ列を形成してから１度もロール対にバイアス電圧が印加されていない場合には、バイアス電圧の極性を正負どちらに設定してもよく、この場合、例えばバイアス電圧の極性が、ステップＳ２００で読み出したバイアス電圧情報に設定されているバイアス電圧の極性となるように、二次転写電源２５Ａに設定する。
【０１２９】
そして、ステップＳ３０では、ステップＳ２２０又はステップＳ２３０で二次転写電源２５Ａに設定したバイアス電圧の情報に基づいてロール対にバイアス電圧を印加するよう二次転写電源２５Ａを制御すると共に、バイアス電圧印加回数を１増加させる。
【０１３０】
ステップＳ３５では、濃度調整処理が終了したか否かを判定し、肯定判定の場合にはステップＳ４０に移行して、既に第１実施形態で説明したステップＳ３０〜ステップＳ５０の処理を実施する。一方、否定判定の場合にはステップＳ２１０に移行して、濃度調整処理が終了するまで、二次転写位置への濃度調整用パッチの搬送状況に応じて設定した極性のバイアス電圧をロール対に印加する処理を繰り返す。
【０１３１】
本実施形態の場合、例えば、濃度調整用パッチ列が２列とも二次転写位置まで搬送されていない場合は否定判定となる。
【０１３２】
図１０（Ｂ）は、図１０（Ａ）に示した濃度調整用パッチ９４に対して、図９に示した画像形成プログラムを実施した場合のロール対に印加されるバイアス電圧の波形を示した図である。
【０１３３】
図１０（Ｂ）の縦軸はロール対に印加したバイアス電圧の極性及び電圧値を表し、横軸は時間経過を表している。また、期間ＴＰは二次転写位置に濃度調整用パッチ列が搬送された期間を示し、期間ＴＮは二次転写位置に濃度調整用パッチ列が搬送されていない期間を表している。
【０１３４】
図１０（Ｂ）から、本実施形態に係る画像形成プログラムを実施した場合であっても、ロール対に正規バイアス電圧及び逆バイアス電圧が交互に印加されることがわかる。この際、二次転写位置に濃度調整用パッチ列が搬送されたタイミングでロール対に正規バイアス電圧が印加されるため、濃度調整用パッチ９４が連続紙Ｐに転写される。
【０１３５】
そして、制御装置１８は、濃度センサ２７によって検出した連続紙Ｐに形成された濃度調整用パッチ９４の濃度と、予め定めた濃度との差分が小さくなるように、トナーカートリッジ４２から現像装置３６へトナーを供給するオーガーを駆動する図示しないモーターの回転時間を制御して、濃度調整処理を実施する。
【０１３６】
なお、図１０（Ｂ）に示すように、逆バイアス電圧の電圧値は固定値とせず、逆バイアス電圧印加回数が増加するにつれて、逆バイアス電圧の電圧値が徐々に増加するように二次転写電源２５Ａを制御してもよい。
【０１３７】
このように本実施形態によれば、濃度調整処理と二次転写ロール４６Ａのクリーニング処理とを並行して実施する。
【０１３８】
従って、濃度調整処理と二次転写ロール４６Ａのクリーニング処理との実施期間が重ならないようにした場合と比較して、ユーザによって指定された画像情報に対応したトナー像の画像形成に用いられずに無駄になる連続紙Ｐの長さが短くなる。
【０１３９】
なお、本実施形態に係る二次転写ロール４６Ａのクリーニング処理に用いるバイアス電圧に関して、第２実施形態で示したように、画像形成装置１０の動作状況に応じて電圧値及び印加時間を設定してもよいことは言うまでもない。
【０１４０】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１４１】
また、上記実施の形態では、二次転写ロール４６Ａのクリーニング処理制御をソフトウエア構成によって実現した場合について説明したが、本発明はこれに限定されるものではなく、例えば当該クリーニング処理制御をハードウェア構成により実現する形態としてもよい。
【０１４２】
この場合の形態例としては、例えば、制御装置１８と同一の処理を実行する機能デバイスを作成して用いる形態がある。この場合は、上記実施の形態に比較して、処理の高速化が期待される。
【符号の説明】
【０１４３】
１０  画像形成装置
１８  コンピュータ（制御装置）
２６  中間転写装置
４４  転写ベルト
４６  二次転写装置
Ｐ    連続紙
【図１】
2015055671.tif 000003
【図２】
2015055671.tif 000004
【図３】
2015055671.tif 000005
【図４】
2015055671.tif 000006
【図５】
2015055671.tif 000007
【図６】
2015055671.tif 000008
【図８】
2015055671.tif 000009
【図９】
2015055671.tif 000010
【図１０】
2015055671.tif 000011
【図７】
2015055671.tif 000012